(57)【要約】【課題】従来の装置と異なる表示の可変ができる。またモータの始動時及び駆動中にモータに過大な負荷が加わらなく、スムーズにパネルを旋回させることができる。【解決手段】上方に伸びた旋回軸５と、旋回軸５を往復旋回駆動させるモータ６と、旋回軸５に固定されたパネル固定板１４、１５と、このパネル固定板１４、１５に着脱自在に固定される立体画像変化パネル２０とからなる。旋回軸５にはレバー１３が固定され、モータ６の出力軸にはスプリングクラッチ７を介してレバー８が回転自在に支承され、レバー８と１３には連結レバー１０の両端部がそれぞれ回転自在に支承されている。【選択図】      図１
0003112433.tif 000002
【実用新案登録請求の範囲】
【請求項１】
上方に伸びた旋回軸と、この旋回軸を往復旋回駆動させるモータと、前記旋回軸に固定されたパネル固定部材と、このパネル固定部材に着脱自在に固定される３Ｄチェンジパネルとからなることを特徴とするパネル旋回装置。
【請求項２】
前記旋回軸には第１のレバーが固定され、前記モータの出力軸にはスプリングクラッチを介して第２のレバーが回転自在に支承され、前記第１のレバーと前記第２のレバーには連結レバーの両端部がそれぞれ回転自在に支承されていることを特徴とする請求項１記載のパネル旋回装置。
【考案の詳細な説明】
【技術分野】
【０００１】
本考案は、パネル旋回装置に関する。
【背景技術】
【０００２】
従来パネル（表示板）の表示に変化を持たせた表示装置として、種々のものが知られている。例えば特許文献１が上げられる。
【特許文献１】特開平１１−７３１４５号公報
【考案の開示】
【考案が解決しようとする課題】
【０００３】
本考案の第１の課題は、従来の装置と異なる表示の可変ができるパネル旋回装置を提供することにある。
【０００４】
本考案の第２の課題は、モータの始動時及び駆動中にモータに過大な負荷が加わらなく、スムーズにパネルを旋回させることができるパネル旋回装置を提供することにある。
【課題を解決するための手段】
【０００５】
上記第１の課題を解決するための本考案の請求項１は、上方に伸びた旋回軸と、この旋回軸を往復旋回駆動させるモータと、前記旋回軸に固定されたパネル固定部材と、このパネル固定部材に着脱自在に固定される３Ｄチェンジパネルとからなることを特徴とする。
【０００６】
上記第２の課題を解決するための本考案の請求項２は、上記請求項１において、前記旋回軸には第１のレバーが固定され、前記モータの出力軸にはスプリングクラッチを介して第２のレバーが回転自在に支承され、前記第１のレバーと前記第２のレバーには連結レバーの両端部がそれぞれ回転自在に支承されていることを特徴とする。
【考案の効果】
【０００７】
請求項１によると、旋回軸の往復旋回によって３Ｄチェンジパネルが往復旋回するので、従来の装置と異なる表示の可変ができる。
請求項２によると、モータを正逆させるのではなく、モータの一方向の回転によって３Ｄチェンジパネルを往復旋回させるので、モータに過大な負荷が加わらなく、スムーズに３Ｄチェンジパネルを旋回させることができる。またモータの始動時はモータの動力をスプリングクラッチに蓄積され、その後に第２のレバーがゆっくりと回転を始めるので、始動時にモータに過大な負荷が加わらない。
【考案を実施するための最良の形態】
【０００８】
本考案の一実施の形態を図１及び図２により説明する。ベース板１上には、頂部２ａを有する支持板２が固定されており、ベース板１及び頂部２ａには、上方が後方に約７度傾いて配設された支持支柱３が固定されている。支持支柱３には、軸受４、４を介して旋回軸５が回転自在に支承されている。支持板２の頂部２ａにはモータ６が固定されており、モータ６の出力軸にはスプリングクラッチ７を介してレバー８が回転自在に支承されている。
【０００９】
レバー８には長さが調整可能な連結レバー１０の一端部が支軸１１を介して回転自在に支承されている。連結レバー１０の他端部は、支軸１２を介してレバー１３の一端部が回転自在に支承されており、レバー１３の他端部は旋回軸５に固定されている。旋回軸５の下端部には、３Ｄチェンジパネル２０の下端部を支持及び固定するパネル下方部固定板１４が固定されている。旋回軸５の上方部には３Ｄチェンジパネル２０の上端部を固定するパネル上方部固定板１５が固定されている。なお、１６はカバーを示す。
【００１０】
次に作用について説明する。モータ６が回転すると、支軸１１はモータ６の出力軸を中心として回転し、レバー１３は２点鎖線で示す１３ａと１３ｂの位置を往復旋回する。これにより旋回軸５が旋回し、パネル下方部固定板１４及びパネル上方部固定板１５は２点鎖線で示す１４ａ、１５ａと１４ｂ、１５ｂの位置を往復旋回する。このようにパネル下方部固定板１４及びパネル上方部固定板１５が往復旋回すると、３Ｄチェンジパネル２０が旋回する。これにより、３Ｄチェンジパネル２０の図形、文字等の表示が変化して観察されるので、見る人の興味をそそることができる。
【００１１】
またモータ６を正逆させるのではなく、モータ６の一方向の回転によって３Ｄチェンジパネル２０を往復旋回させるので、モータ６に過大な負荷が加わらなく、スムーズに３Ｄチェンジパネル２０を旋回させることができる。またモータ６の始動時はモータ６の動力をスプリングクラッチ７に蓄積され、その後にレバー８がゆっくりと回転を始める。即ち、始動時にモータ６に過大な負荷が加わらない。
【図面の簡単な説明】
【００１２】
【図１】本考案のパネル旋回装置の一実施の形態を示す断面側面図である。
【図２】図１のカバーを取り外した状態のＡ−Ａ線矢視図である。
【符号の説明】
【００１３】
１    ベース板
２    支持板
３    支持支柱
５    旋回軸
６    モータ
７    スプリングクラッチ
８    レバー
１０    連結レバー
１３    レバー
１４    パネル下方部固定板
１５    パネル上方部固定板
２０    ３Ｄチェンジパネル
【図１】
0003112433.tif 000003
【図２】
0003112433.tif 000004
【手続補正書】
【提出日】平成17年1月13日(2005.1.13)
【手続補正１】
【補正対象書類名】実用新案登録請求の範囲
【補正対象項目名】全文
【補正方法】変更
【補正の内容】
【実用新案登録請求の範囲】
【請求項１】
上方に伸びた旋回軸と、この旋回軸を往復旋回駆動させるモータと、前記旋回軸に固定されたパネル固定部材と、このパネル固定部材に着脱自在に固定される立体画像変化パネルとからなることを特徴とするパネル旋回装置。
【請求項２】
前記旋回軸には第１のレバーが固定され、前記モータの出力軸にはスプリングクラッチを介して第２のレバーが回転自在に支承され、前記第１のレバーと前記第２のレバーには連結レバーの両端部がそれぞれ回転自在に支承されていることを特徴とする請求項１記載のパネル旋回装置。
【手続補正２】
【補正対象書類名】明細書
【補正対象項目名】全文
【補正方法】変更
【補正の内容】
【考案の詳細な説明】
【技術分野】
【０００１】
本考案は、パネル旋回装置に関する。
【背景技術】
【０００２】
従来パネル（表示板）の表示に変化を持たせた表示装置として、種々のものが知られている。例えば特許文献１が上げられる。
【特許文献１】特開平１１−７３１４５号公報
【考案の開示】
【考案が解決しようとする課題】
【０００３】
本考案の第１の課題は、従来の装置と異なる表示の可変ができるパネル旋回装置を提供することにある。
【０００４】
本考案の第２の課題は、モータの始動時及び駆動中にモータに過大な負荷が加わらなく、スムーズにパネルを旋回させることができるパネル旋回装置を提供することにある。
【課題を解決するための手段】
【０００５】
上記第１の課題を解決するための本考案の請求項１は、上方に伸びた旋回軸と、この旋回軸を往復旋回駆動させるモータと、前記旋回軸に固定されたパネル固定部材と、このパネル固定部材に着脱自在に固定される立体画像変化パネルとからなることを特徴とする。
【０００６】
上記第２の課題を解決するための本考案の請求項２は、上記請求項１において、前記旋回軸には第１のレバーが固定され、前記モータの出力軸にはスプリングクラッチを介して第２のレバーが回転自在に支承され、前記第１のレバーと前記第２のレバーには連結レバーの両端部がそれぞれ回転自在に支承されていることを特徴とする。
【考案の効果】
【０００７】
請求項１によると、旋回軸の往復旋回によって立体画像変化パネルが往復旋回するので、従来の装置と異なる表示の可変ができる。
請求項２によると、モータを正逆させるのではなく、モータの一方向の回転によって立体画像変化パネルを往復旋回させるので、モータに過大な負荷が加わらなく、スムーズに立体画像変化パネルを旋回させることができる。またモータの始動時はモータの動力をスプリングクラッチに蓄積され、その後に第２のレバーがゆっくりと回転を始めるので、始動時にモータに過大な負荷が加わらない。
【考案を実施するための最良の形態】
【０００８】
本考案の一実施の形態を図１及び図２により説明する。ベース板１上には、頂部２ａを有する支持板２が固定されており、ベース板１及び頂部２ａには、上方が後方に約７度傾いて配設された支持支柱３が固定されている。支持支柱３には、軸受４、４を介して旋回軸５が回転自在に支承されている。支持板２の頂部２ａにはモータ６が固定されており、モータ６の出力軸にはスプリングクラッチ７を介してレバー８が回転自在に支承されている。
【０００９】
レバー８には長さが調整可能な連結レバー１０の一端部が支軸１１を介して回転自在に支承されている。連結レバー１０の他端部は、支軸１２を介してレバー１３の一端部が回転自在に支承されており、レバー１３の他端部は旋回軸５に固定されている。旋回軸５の下端部には、立体画像変化パネルである３Ｄチェンジングパネル２０の下端部を支持及び固定するパネル下方部固定板１４が固定されている。旋回軸５の上方部には３Ｄチェンジングパネル２０の上端部を固定するパネル上方部固定板１５が固定されている。なお、１６はカバーを示す。
ここで、３Ｄチェンジングパネル２０は、例えば株式会社クレシア製の３Ｄパネルとチェンジングパネルを組み合わせたものを使用した。３Ｄパネルは、平面に立体感を持たせるパネルであり、チェンジングパネルは、見る角度によって異なる絵柄が見えるパネルである。
【００１０】
次に作用について説明する。モータ６が回転すると、支軸１１はモータ６の出力軸を中心として回転し、レバー１３は２点鎖線で示す１３ａと１３ｂの位置を往復旋回する。これにより旋回軸５が旋回し、パネル下方部固定板１４及びパネル上方部固定板１５は２点鎖線で示す１４ａ、１５ａと１４ｂ、１５ｂの位置を往復旋回する。このようにパネル下方部固定板１４及びパネル上方部固定板１５が往復旋回すると、３Ｄチェンジングパネル２０が旋回する。これにより、３Ｄチェンジングパネル２０の図形、文字等の表示が変化して観察されるので、見る人の興味をそそることができる。
【００１１】
またモータ６を正逆させるのではなく、モータ６の一方向の回転によって３Ｄチェンジングパネル２０を往復旋回させるので、モータ６に過大な負荷が加わらなく、スムーズに３Ｄチェンジングパネル２０を旋回させることができる。またモータ６の始動時はモータ６の動力をスプリングクラッチ７に蓄積され、その後にレバー８がゆっくりと回転を始める。即ち、始動時にモータ６に過大な負荷が加わらない。
【図面の簡単な説明】
【００１２】
【図１】本考案のパネル旋回装置の一実施の形態を示す断面側面図である。
【図２】図１のカバーを取り外した状態のＡ−Ａ線矢視図である。
【符号の説明】
【００１３】
１    ベース板
２    支持板
３    支持支柱
５    旋回軸
６    モータ
７    スプリングクラッチ
８    レバー
１０    連結レバー
１３    レバー
１４    パネル下方部固定板
１５    パネル上方部固定板
２０    ３Ｄチェンジングパネル
【手続補正書】
【提出日】平成17年5月31日(2005.5.31)
【手続補正１】
【補正対象書類名】実用新案登録請求の範囲
【補正対象項目名】全文
【補正方法】変更
【補正の内容】
【実用新案登録請求の範囲】
【請求項１】
上方に伸びた旋回軸と、この旋回軸を往復旋回駆動させるモータと、前記旋回軸に固定されたパネル固定部材と、このパネル固定部材に着脱自在に固定される立体画像パネルとからなることを特徴とするパネル旋回装置。
【請求項２】
前記旋回軸には第１のレバーが固定され、前記モータの出力軸にはスプリングクラッチを介して第２のレバーが回転自在に支承され、前記第１のレバーと前記第２のレバーには連結レバーの両端部がそれぞれ回転自在に支承されていることを特徴とする請求項１記載のパネル旋回装置。
【手続補正２】
【補正対象書類名】明細書
【補正対象項目名】全文
【補正方法】変更
【補正の内容】
【考案の詳細な説明】
【技術分野】
【０００１】
本考案は、パネル旋回装置に関する。
【背景技術】
【０００２】
従来パネル（表示板）の表示に変化を持たせた表示装置として、種々のものが知られている。例えば特許文献１が上げられる。
【特許文献１】特開平１１−７３１４５号公報
【考案の開示】
【考案が解決しようとする課題】
【０００３】
本考案の第１の課題は、従来の装置と異なる表示の可変ができるパネル旋回装置を提供することにある。
【０００４】
本考案の第２の課題は、モータの始動時及び駆動中にモータに過大な負荷が加わらなく、スムーズにパネルを旋回させることができるパネル旋回装置を提供することにある。
【課題を解決するための手段】
【０００５】
上記第１の課題を解決するための本考案の請求項１は、上方に伸びた旋回軸と、この旋回軸を往復旋回駆動させるモータと、前記旋回軸に固定されたパネル固定部材と、このパネル固定部材に着脱自在に固定される立体画像パネルとからなることを特徴とする。
【０００６】
上記第２の課題を解決するための本考案の請求項２は、上記請求項１において、前記旋回軸には第１のレバーが固定され、前記モータの出力軸にはスプリングクラッチを介して第２のレバーが回転自在に支承され、前記第１のレバーと前記第２のレバーには連結レバーの両端部がそれぞれ回転自在に支承されていることを特徴とする。
【考案の効果】
【０００７】
請求項１によると、旋回軸の往復旋回によって立体画像パネルが往復旋回するので、従来の装置と異なる表示の可変ができる。
請求項２によると、モータを正逆させるのではなく、モータの一方向の回転によって立体画像パネルを往復旋回させるので、モータに過大な負荷が加わらなく、スムーズに立体画像パネルを旋回させることができる。またモータの始動時はモータの動力をスプリングクラッチに蓄積され、その後に第２のレバーがゆっくりと回転を始めるので、始動時にモータに過大な負荷が加わらない。
【考案を実施するための最良の形態】
【０００８】
本考案の一実施の形態を図１及び図２により説明する。ベース板１上には、頂部２ａを有する支持板２が固定されており、ベース板１及び頂部２ａには、上方が後方に約７度傾いて配設された支持支柱３が固定されている。支持支柱３には、軸受４、４を介して旋回軸５が回転自在に支承されている。支持板２の頂部２ａにはモータ６が固定されており、モータ６の出力軸にはスプリングクラッチ７を介してレバー８が回転自在に支承されている。
【０００９】
レバー８には長さが調整可能な連結レバー１０の一端部が支軸１１を介して回転自在に支承されている。連結レバー１０の他端部は、支軸１２を介してレバー１３の一端部が回転自在に支承されており、レバー１３の他端部は旋回軸５に固定されている。旋回軸５の下端部には、立体画像パネルである３Ｄチェンジングパネル２０の下端部を支持及び固定するパネル下方部固定板１４が固定されている。旋回軸５の上方部には３Ｄチェンジングパネル２０の上端部を固定するパネル上方部固定板１５が固定されている。なお、１６はカバーを示す。
ここで、３Ｄチェンジングパネル２０は、例えば株式会社クレシア製の３Ｄパネルとチェンジングパネルを組み合わせたものを使用した。３Ｄパネルは、平面に立体感を持たせるパネルであり、チェンジングパネルは、見る角度によって異なる絵柄が見えるパネルである。
【００１０】
次に作用について説明する。モータ６が回転すると、支軸１１はモータ６の出力軸を中心として回転し、レバー１３は２点鎖線で示す１３ａと１３ｂの位置を往復旋回する。これにより旋回軸５が旋回し、パネル下方部固定板１４及びパネル上方部固定板１５は２点鎖線で示す１４ａ、１５ａと１４ｂ、１５ｂの位置を往復旋回する。このようにパネル下方部固定板１４及びパネル上方部固定板１５が往復旋回すると、３Ｄチェンジングパネル２０が旋回する。これにより、３Ｄチェンジングパネル２０の図形、文字等の表示が変化して観察されるので、見る人の興味をそそることができる。
【００１１】
またモータ６を正逆させるのではなく、モータ６の一方向の回転によって３Ｄチェンジングパネル２０を往復旋回させるので、モータ６に過大な負荷が加わらなく、スムーズに３Ｄチェンジングパネル２０を旋回させることができる。またモータ６の始動時はモータ６の動力をスプリングクラッチ７に蓄積され、その後にレバー８がゆっくりと回転を始める。即ち、始動時にモータ６に過大な負荷が加わらない。
【図面の簡単な説明】
【００１２】
【図１】本考案のパネル旋回装置の一実施の形態を示す断面側面図である。
【図２】図１のカバーを取り外した状態のＡ−Ａ線矢視図である。
【符号の説明】
【００１３】
１    ベース板
２    支持板
３    支持支柱
５    旋回軸
６    モータ
７    スプリングクラッチ
８    レバー
１０    連結レバー
１３    レバー
１４    パネル下方部固定板
１５    パネル上方部固定板
２０    ３Ｄチェンジングパネル